(57)【要約】【課題】リモコン操作に応じてカメラが行う処理を選択できるようにしたカメラを提供する。【解決手段】ＣＰＵ２１は、無操作の状態が所定時間継続されるとＤＣＤＣコンバータ２２にオフ指令を出力して省電力動作をさせる。ＣＰＵ２１は、省電力動作時のスイッチ操作に応じてＤＣＤＣコンバータ２２をオンさせることが必要なスイッチを示すオン情報を、省電力動作に入る前にあらかじめ電源起動判別回路２６ａに送出する。電源起動判別回路２６ａは、省電力動作時に入力されたオン信号に対応するスイッチが上記オン情報で示されるスイッチと合致すると、ＤＣＤＣコンバータ２２を起動させる。インターフェイス回路２７ａは、オン信号がリモコン装置１２のどのスイッチから出力されたかを示す操作情報と、電源起動判別回路２６ａへ出力するオン信号と生成し、生成したオン信号を電源起動判別回路２６ａへ出力するとともに、操作情報をＣＰＵ２１へ出力する。【選択図】図３
2004109568.tif 000002
【特許請求の範囲】
【請求項１】
リモコン操作部材からカメラに出力される操作信号を入力するインターフェイス手段と、
前記インターフェイス手段に入力された操作信号に応じて行う処理をあらかじめ選択するための選択手段と、
前記選択手段によって選択されている選択内容を記憶する記憶手段と、
前記インターフェイス手段に前記リモコン操作部材による操作信号が入力されたとき、前記記憶手段に記憶されている選択内容が示す処理を行う制御手段とを備えることを特徴とするカメラ。
【請求項２】
請求項１に記載のカメラにおいて、
前記インターフェイス手段は、カメラの操作部材からの操作信号をさらに入力し、
前記制御手段は、前記インターフェイス手段に前記カメラによる操作信号が入力されたとき、前記記憶手段に記憶されている選択内容が示す処理をさらに行うことを特徴とするカメラ。
【請求項３】
請求項１または２に記載のカメラにおいて、
前記制御手段は、前記選択内容が示す処理に付随して電源回路のオンが必要なとき、前記インターフェイス手段に前記操作信号が入力されると前記電源回路のオンを指示することを特徴とするカメラ。
【請求項４】
請求項３に記載のカメラにおいて、
前記インターフェイス手段、前記記憶手段および前記制御手段は、それぞれ前記電源回路以外から電源供給されることを特徴とするカメラ。
【発明の詳細な説明】
【０００１】
【発明の属する技術分野】
本発明は、リモコン操作可能なカメラに関する。
【０００２】
【従来の技術】
カメラの操作は、通常、カメラ本体に配設されているスイッチを操作することによって行われる。これに対し、カメラ本体のスイッチを直接操作することなく、リモートコントロール（以下、リモコンという）装置でカメラを操作する技術が知られている。特許文献１には、操作信号を赤外光の信号としてカメラへ送信するリモコン装置が開示されている。リモコン送信機のスイッチをオンすることにより、該送信機から赤外光の操作信号がカメラに送信され、カメラ本体が信号光を検知することで、カメラが撮影動作を開始するものである。
【０００３】
【特許文献１】
特開平６−１８９８２号公報
【０００４】
【発明が解決しようとする課題】
リモコン送信機のスイッチ（リモコン操作部材）は、撮影を開始させるためのスイッチである。このため、撮影開始以外の操作を行う場合には、カメラ本体に配設されているスイッチを操作する必要があり、使い勝手がよくなかった。
【０００５】
本発明の目的は、リモコン操作部材による操作信号に応じてカメラが行う処理を選択するようにしたカメラを提供することにある。
【０００６】
【課題を解決するための手段】
本発明によるカメラは、リモコン操作部材からカメラに出力される操作信号を入力するインターフェイス手段と、インターフェイス手段に入力された操作信号に応じて行う処理をあらかじめ選択するための選択手段と、選択手段によって選択されている選択内容を記憶する記憶手段と、インターフェイス手段にリモコン操作部材による操作信号が入力されたとき、記憶手段に記憶されている選択内容が示す処理を行う制御手段とを備えることにより、上述した目的を達成する。
上記インターフェイス手段は、カメラの操作部材からの操作信号をさらに入力してもよく、この場合の制御手段は、インターフェイス手段にカメラによる操作信号が入力されたとき、記憶手段に記憶されている選択内容が示す処理をさらに行うこともできる。
上記制御手段は、選択内容が示す処理に付随して電源回路のオンが必要なとき、インターフェイス手段に操作信号が入力されると電源回路のオンを指示することもできる。この場合のインターフェイス手段、記憶手段および制御手段は、それぞれ上記電源回路以外から電源供給するとよい。
【０００７】
【発明の実施の形態】
以下、図面を参照して本発明の実施の形態を説明する。
（第一の実施の形態）
図１は、本発明の第一の実施の形態によるカメラの外観図である。図１においてカメラは、カメラ本体１と、撮影レンズ２とで構成される。カメラ本体１には、メインスイッチ３と、レリーズボタン４と、情報表示部５と、入力情報設定部材６と、ファンクションボタン７と、ファンクション設定ボタン８と、リモートコントロール（リモコン）接続部９とが備えられている。
【０００８】
メインスイッチ３は、カメラ本体１を起動させるための操作信号を出力するスイッチである。レリーズボタン４は、押下操作に連動して後述する半押しスイッチおよび全押しスイッチをオンさせる。情報表示部５は、撮影コマ数や撮影条件、およびカメラの設定内容などを表示する。入力情報設定部材６は、回転操作に連動して後述するエンコーダを回転させる。ファンクションボタン７は、押下操作に連動して後述するファンクションスイッチをオンさせる。ファンクション設定ボタン８は、押下操作に連動して後述するファンクション設定スイッチをオンさせる。リモコン接続部９は、後述するリモコン装置を接続するコネクタである。
【０００９】
図２は、図１のカメラにリモコン装置１２を接続した状態を示す図である。リモコン装置１２は、コネクタ部１１と、ケーブル１５と、レリーズボタン１３と、ファンクションボタン１４とを有する。コネクタ部１１は、カメラ本体１のリモコン接続部９に接続される。レリーズボタン１３は、押下操作に連動して後述する半押しスイッチおよび全押しスイッチをオンさせる。ファンクションボタン１４は、押下操作に連動して後述するファンクションスイッチをオンさせる。各スイッチのオン信号は、それぞれケーブル１５を介してカメラ本体１へ送出される。
【００１０】
図３は、カメラ本体１の制御回路、およびリモコン装置１２の回路の概要を説明する図である。図３において、ＣＰＵ２１は、カメラ本体１の動作を制御する。ＤＣＤＣコンバータ２２は、不図示の電池から供給される直流電圧をＣＰＵ２１で必要な直流電圧ＶＣＣに変換してＣＰＵ２１へ供給する。ファンクション設定ボタン８（図１）が操作されると、ファンクション設定スイッチ２４からＣＰＵ２１にオン信号が入力される。入力情報設定部材６（図１）が回転操作されると、回転量に応じたパルス信号が入力情報設定エンコーダ２３からＣＰＵ２１に入力される。ＣＰＵ２１は、ファンクション設定スイッチ２４からオン信号が入力された状態で入力情報設定エンコーダ２３から入力されるパルス信号の数に応じて、ファンクションボタン７（図１）が押下された場合に行う処理、すなわち、ファンクションボタン７の機能を選択する。
【００１１】
ファンクションボタン７の機能は、次の５つ機能がパルス信号数に応じてサイクリックに選択される。
▲１▼ＡＥロック
▲２▼フォーカスロック
▲３▼オートフォーカス時のフォーカスレンズ駆動開始
▲４▼プレビュー（絞り込み）
▲５▼ミラーアップ
ＡＥロックは、その時点における制御露出値の情報を保持するものである。フォーカスロックは、その時点における不図示のフォーカスレンズ位置の情報を保持するものである。オートフォーカス時のフォーカスレンズ駆動開始は、合焦位置へのフォーカスレンズの駆動を起動するものである。プレビューは、制御絞り値へ不図示の絞りを駆動させるものである。ミラーアップは、不図示のクイックリターンミラーを撮影光路外へ退避させるものである。
【００１２】
選択されたファンクションボタン７（図１）の機能を示す情報は、ＣＰＵ２１にファンクション設定スイッチ２４からオン信号が入力されている間、ＣＰＵ２１の指令により情報表示部５に表示される。
【００１３】
本発明は、カメラ本体１のファンクションボタン７（図１）に対応する選択機能を、リモコン装置１２のファンクションボタン１４（図２）にも対応させるようにしたものである。
【００１４】
カメラ本体１において、ファンクションボタン７（図１）が操作されると、ファンクションスイッチＳＷ３ｂからＬレベルのオン信号が発生される。このオン信号は、電源起動判別回路２６ａに入力されるとともに、ダイオードＤ２を介してＣＰＵ２１にも入力される。
【００１５】
レリーズボタン４（図１）が半押し操作されると、半押しスイッチＳＷ２ｂからＬレベルのオン信号が発生される。このオン信号は、電源起動判別回路２６ａに入力されるとともに、ダイオードＤ１を介してＣＰＵ２１にも入力される。レリーズボタン４（図１）が全押し操作されると、全押しスイッチＳＷ１ｂからＬレベルのオン信号が発生される。このオン信号は、ＣＰＵ２１に入力される。
【００１６】
本実施の形態によるカメラ本体１は、メインスイッチ３がオンされていても無操作の状態が所定時間継続されると、ＣＰＵ２１の指令によってＤＣＤＣコンバータ２２がオフされ、ＣＰＵ２１への電力供給が停止されるように構成されている。そこで、電源起動判別回路２６ａは、半押しスイッチＳＷ２ｂもしくはファンクションスイッチＳＷ３ｂからＬレベルのオン信号が入力された場合に、あらかじめＣＰＵ２１から指示されているオン情報に応じてＤＣＤＣコンバータ２２にオン指令を出力する。ＤＣＤＣコンバータ２２がオン指令に応じて起動すると、ＣＰＵ２１への電力供給が再開される。上述したダイオードＤ１およびＤ２は、ＣＰＵ２１に対する電力供給が停止されたとき、オン信号が入力されたと電源起動判別回路２６ａが誤認することを防止するために配設される。
【００１７】
ＣＰＵ２１から電源起動判別回路２６ａに指示されるオン情報は、ＤＣＤＣコンバータ２２へオン指令を出力することが必要なスイッチを示す情報である。電源起動判別回路２６ａは、オン情報で示されるスイッチからオン信号が入力された場合にのみ、ＤＣＤＣコンバータ２２へオン指令を出力する。ＤＣＤＣコンバータ２２へのオン指令が必要なスイッチについては後述する。このオン情報は、ＣＰＵ２１がＤＣＤＣコンバータ２２にオフ指令を出力する前に、ＣＰＵ２１から電源起動判別回路２６ａに出力される。電源起動判別回路２６ａは、オン情報を記憶する。なお、電源起動判別回路２６ａおよび後述するインターフェイス回路２７ａには、不図示の電池がカメラに装填されている限り給電可能な電源ＶＤＤが供給されているので、ＣＰＵ２１への電源供給が停止された状態でも動作可能に構成されている。
【００１８】
リモコン装置１２において、ファンクションボタン１４（図２）が操作されると、ファンクションスイッチＳＷ３ｒからＬレベルのオン信号が発生される。リモコン装置１２のレリーズボタン１３（図２）が半押し操作されると、半押しスイッチＳＷ２ｒからＬレベルのオン信号が発生される。レリーズボタン１３（図２）が全押し操作されると、全押しスイッチＳＷ１ｒからＬレベルのオン信号が発生される。これらの各オン信号は、コネクタ部１１を介してカメラ本体１のインターフェイス回路２７ａにそれぞれ入力される。
【００１９】
インターフェイス回路２７ａは、リモコン装置１２からコネクタ部１１を介して入力されるオン信号に基づいて、当該オン信号がどのスイッチから出力されたかを示す操作情報と、電源起動判別回路２６ａへ出力するオン信号と生成する。インターフェイス回路２７ａは、生成したオン信号を電源起動判別回路２６ａへ出力するとともに、操作情報をＣＰＵ２１へ出力する。第一の実施の形態によるインターフェイス回路２７ａは、ファンクションスイッチＳＷ３ｒからのオン信号、および半押しスイッチＳＷ２ｒからのオン信号のそれぞれに対応させてオン信号を生成し、生成したオン信号を電源起動判別回路２６ａへ出力する。
【００２０】
電源起動判別回路２６ａがＤＣＤＣコンバータ２２に対してオン指令を出力することが必要なスイッチは、次のとおりである。
１．ファンクションボタン７（ファンクションボタン１４）の機能が上記▲１▼または▲２▼に選択されているとき
電源起動判別回路２６ａは、半押しスイッチＳＷ２ｂおよび半押しスイッチＳＷ２ｒのいずれかによるオン信号が入力されると、ＤＣＤＣコンバータ２２にオン指令を出力する。これにより、カメラ本体１のレリーズボタン４もしくはリモコン装置１２のレリーズボタン１３のいずれかが半押し操作されると、ＣＰＵ２１に電源供給が再開され、カメラが撮影可能になる。撮影のためにはＣＰＵ２１の起動が必要である。なお、上記▲１▼および▲２▼の動作は、ＣＰＵ２１駆動中にのみ作用する動作であるので、ファンクションスイッチＳＷ３ｂ、ＳＷ３ｒによってＣＰＵ２１を起動させない。
【００２１】
２．ファンクションボタン７（ファンクションボタン１４）の機能が上記▲３▼〜▲５▼のいずれかに選択されているとき
電源起動判別回路２６ａは、半押しスイッチＳＷ２ｂ、半押しスイッチＳＷ２ｒ、ファンクションスイッチＳＷ３ｂ、およびファンクションスイッチＳＷ３ｒのいずれかによるオン信号が入力されると、ＤＣＤＣコンバータ２２にオン指令を出力する。これにより、カメラ本体１のレリーズボタン４もしくはリモコン装置１２のレリーズボタン１３のいずれかが半押し操作されると、ＣＰＵ２１に電源供給が再開され、カメラが撮影可能になる。また、カメラ本体１のファンクションボタン７もしくはリモコン装置１２のファンクションボタン１４のいずれかが操作されると、ＣＰＵ２１に電源供給が再開されて上記▲３▼〜▲５▼の動作が可能になる。上記▲３▼〜▲５▼の動作は、ＣＰＵ２１を起動させた上で行う必要がある。
【００２２】
以上説明した第一の実施の形態によれば、次の作用効果が得られる。
（１）リモコン装置１２にファンクションボタン１４を設け、ファンクションボタン１４の機能をカメラ本体１のファンクションボタン７の選択機能と同一にした。この結果、選択機能を実行させる操作をリモコン装置１２から行うことができるのでカメラの操作性が向上する上に、リモコン装置１２側にファンクション設定スイッチを設けなくてよいので、リモコン装置１２を簡単に構成できる。
【００２３】
（２）ＣＰＵ２１は、無操作の状態が所定時間継続されるとＤＣＤＣコンバータ２２にオフ指令を出力してＣＰＵ２１への電力供給を停止させ、省電力動作をさせる。このとき、ＣＰＵ２１は、省電力動作時のスイッチ操作に応じてＤＣＤＣコンバータ２２をオンさせることが必要なスイッチを示すオン情報を、ＣＰＵ２１への電力供給を停止させる前（省電力動作に入る前）にあらかじめ電源起動判別回路２６ａに送出する。電源起動判別回路２６ａは、省電力動作時に入力されたオン信号に対応するスイッチが上記オン情報で示されるスイッチと合致すると、ＤＣＤＣコンバータ２２を起動させる。これにより、ＣＰＵ２１への電力供給が停止されている（省電力時）場合でも、操作されるカメラ本体１のスイッチに応じてＤＣＤＣコンバータ２２を起動させることができる。
【００２４】
（３）インターフェイス回路２７ａは、オン信号がリモコン装置１２のどのスイッチから出力されたかを示す操作情報と、電源起動判別回路２６ａへ出力するオン信号と生成し、生成したオン信号を電源起動判別回路２６ａへ出力するとともに、操作情報をＣＰＵ２１へ出力するようにした。この結果、ＣＰＵ２１への電力供給が停止されている（省電力時）場合でも、操作されるリモコン装置１２のスイッチに応じてＤＣＤＣコンバータ２２を起動させることができる。
【００２５】
インターフェイス回路２７ａから出力されるファンクションスイッチＳＷ３ｒによるオン信号の信号ラインを、図４に示すように、ファンクションスイッチＳＷ３ｂによるオン信号の信号ラインと接続してもよい。このように接続することで、電源起動判別回路２６ａに入力される信号の数を少なくすることができる。
【００２６】
また、インターフェイス回路２７ａから出力される半押しスイッチＳＷ２ｒによるオン信号の信号ラインを、半押しスイッチＳＷ２ｂによるオン信号の信号ラインと接続してもよい。このように接続することで、電源起動判別回路２６ａに入力される信号の数を少なくすることができる。
【００２７】
さらにまた、ファンクションスイッチＳＷ３ｒによるオン信号の信号ラインを、図５に示すように、ファンクションスイッチＳＷ３ｂによるオン信号の信号ラインと接続してもよい。このように接続することで、電源起動判別回路２６ａに入力される信号の数を少なくする上に、インターフェイス回路２７ａに入力される信号の数も少なくすることができる。
【００２８】
（第二の実施の形態）
図６を参照して第二の実施の形態を説明する。図６は、本発明の第二の実施の形態によるカメラ本体１の制御回路、およびリモコン装置１２の回路の概要を説明する図である。図６において、図３の構成と共通するものは図３と同一の符号を記して説明を省略する。図６の構成は、第一の実施の形態による図３の構成に比べて、ＣＰＵ２１の代わりにＣＰＵ２１ｃが設けられている点と、電源起動判別回路２６ａの代わりに電源起動判別回路２６ｃが設けられている点と、インターフェイス回路２７ａの代わりにインターフェイス回路２７ｃが設けられている点とが異なる。また、ファンクションスイッチＳＷ３ｂから発生されるＬレベルのオン信号は、インターフェイス回路２７ｃに入力されるとともに、ダイオードＤ２を介してＣＰＵ２１ｃに入力される。
【００２９】
ＣＰＵ２１ｃは、スイッチ操作に応じてＤＣＤＣコンバータ２２をオンさせることが必要なスイッチを示すオン情報を、ＣＰＵ２１ｃへの電力供給を停止させる前にあらかじめインターフェイス回路２７ｃに送出する。インターフェイス回路２７ｃは、オン情報を記憶する。
【００３０】
インターフェイス回路２７ｃは、ファンクションスイッチＳＷ３ｂから入力されるオン信号、およびリモコン装置１２からコネクタ部１１を介して入力されるオン信号に基づいて、オン信号がどのスイッチから出力されたかを示す操作情報と、電源起動判別回路２６ｃへ出力するオン信号と生成する。インターフェイス回路２７ｃは、生成したオン信号を電源起動判別回路２６ｃへ出力するとともに、操作情報をＣＰＵ２１ｃへ出力する。第二の実施の形態によるインターフェイス回路２７ｃは、省電力動作時に入力されるオン信号に対応するスイッチがＣＰＵ２１ｃからあらかじめ入力されているオン情報で示されるスイッチと合致すると、オン信号を生成して電源起動判別回路２６ｃへ出力する。
【００３１】
電源起動判別回路２６ｃは、省電力動作時に半押しスイッチＳＷ２ｂからオン信号が入力された場合、もしくは、インターフェイス回路２７ｃからオン信号が入力された場合に、それぞれＤＣＤＣコンバータ２２を起動させる。これにより、ＣＰＵ２１ｃへの電力供給が停止されている場合でも、操作されるスイッチに応じてＤＣＤＣコンバータ２２を起動させることができる。
【００３２】
以上説明した第二の実施の形態によれば、第一の実施の形態と同様に、ＣＰＵ２１ｃへの電力供給が停止されている（省電力時）場合でも、操作されるカメラ本体１およびリモコン装置１２のスイッチに応じてＤＣＤＣコンバータ２２を起動させることができる。さらに、第一の実施の形態の電源起動判別回路２６ａで行っていた処理、すなわち、省電力動作時に入力されるオン信号に対応するスイッチがオン情報で示されるスイッチと合致するか否かを判定する処理を、インターフェイス回路２７ｃで行うようにしたので、電源起動判別回路２６ｃを電源起動判別回路２６ａより簡単な回路で構成することができる。
【００３３】
半押しスイッチＳＷ２ｂによるオン信号の信号ラインを、図７に示すように、電源起動判別回路２６ｄに入力させる代わりにインターフェイス回路２７ｄに入力させるようにしてもよい。この場合のインターフェイス回路２７ｄは、ファンクションスイッチＳＷ３ｂから入力されるオン信号、半押しスイッチＳＷ２ｂから入力されるオン信号、およびリモコン装置１２からコネクタ部１１を介して入力されるオン信号に基づいて、オン信号がどのスイッチから出力されたかを示す操作情報と、電源起動判別回路２６ｄへ出力するオン信号と生成する。インターフェイス回路２７ｄは、生成したオン信号を電源起動判別回路２６ｄへ出力するとともに、操作情報をＣＰＵ２１ｃへ出力する。このような構成にすることで、電源起動判別回路２６ｄに入力される信号の数を少なくすることができる。
【００３４】
特許請求の範囲における各構成要素と、発明の実施の形態における各構成要素との対応について説明する。リモコン操作部材は、たとえば、レリーズボタン１３（半押しスイッチＳＷ２ｒ）およびファンクションボタン１４（ファンクションスイッチＳＷ３ｒ）によって構成される。インターフェイス手段は、たとえば、インターフェイス回路２７ａ（２７ｃ，２７ｄ）によって構成される。選択手段は、たとえば、ファンクション設定ボタン８、入力情報設定部材６およびＣＰＵ２１（２１ｃ）によって構成される。記憶手段は、たとえば、電源起動判別回路２６ａ（インターフェイス回路２７ｃ，２７ｄ）によって構成される。制御手段は、たとえば、ＣＰＵ２１（２１ｃ）および電源起動判別回路２６ａ（インターフェイス回路２７ｃ，２７ｄ）によって構成される。電源回路は、たとえば、ＤＣＤＣコンバータ２２によって構成される。なお、本発明の特徴的な機能を損なわない限り、各構成要素は上記構成に限定されるものではない。
【００３５】
【発明の効果】
本発明によるカメラでは、あらかじめ選択しておいたカメラ処理をリモコン操作によって行わせることができる。
【図面の簡単な説明】
【図１】本発明の第一の実施の形態によるカメラの外観図である。
【図２】図１のカメラにリモコン装置を接続した状態を示す図である。
【図３】カメラ本体の制御回路、およびリモコン装置の回路の概要を説明する図である。
【図４】変形例を示す図である。
【図５】変形例を示す図である。
【図６】第二の実施の形態によるカメラ本体の制御回路、およびリモコン装置の回路の概要を説明する図である。
【図７】変形例を示す図である。
【符号の説明】
１…カメラ本体、　　　　　　　　　４，１３…レリーズボタン、
６…入力情報設定部材、　　　　　　７，１４…ファンクションボタン、
８…ファンクション設定ボタン、　１２…リモコン装置、
２１…ＣＰＵ、　　　　　　　　　　２２…ＤＣＤＣコンバータ、
２６ａ，２６ｃ，２６ｄ…電源起動判別回路、
２７ａ，２７ｃ，２７ｄ…インターフェイス回路、
ＳＷ１ｂ、ＳＷ１ｒ…全押しスイッチ、
ＳＷ２ｂ、ＳＷ２ｒ…半押しスイッチ、
ＳＷ３ｂ、ＳＷ３ｒ…ファンクションスイッチ
【図１】
2004109568.tif 000003
【図２】
2004109568.tif 000004
【図３】
2004109568.tif 000005
【図４】
2004109568.tif 000006
【図５】
2004109568.tif 000007
【図６】
2004109568.tif 000008
【図７】
2004109568.tif 000009